(57)【要約】  本発明は、好適には避妊又はホルモン置換療法に資する薬剤ウェハ２を格納して提供するデバイスであって、薬剤ウェハ２を格納して提供する複数の薬剤用ポケット４の積層体１を備えて成るといデバイスにおいて、複数の第１薬剤用ポケット領域１０は、夫々、互いに対して整列された開口８と、該開口８を貫通して案内される少なくとも１つの接続要素９であって、各薬剤用ポケット４を互いに対して接続してそれらを互いに対して移動可能に配置する少なくとも１つの接続要素９とを有するデバイスに関する。
2012516725.tif 000002
【特許請求の範囲】
【請求項１】
薬剤ウェハ（２）を格納して提供するデバイスであって、前記薬剤ウェハ（２）を格納して提供する複数の薬剤用ポケット（４）の積層体（１）を具備するデバイスにおいて、
複数の第１薬剤用ポケット領域（１０）が、互いに対して整列された開口（８）と、該開口（８）を貫通して案内され且つ前記薬剤用ポケット（４）を互いに対して接続してそれらを互いに対して移動可能に配置する少なくとも１つの接続要素（９）とを有する、
デバイス。
【請求項２】
前記少なくとも１つの接続要素（９）がリベットであることを特徴とする請求項１に記載のデバイス。
【請求項３】
前記少なくとも１つの接続要素（９）が、ボックス形状の下側部分（９ａ）であって前記開口（８）を貫通通過するために当該下側部分内に配置されたリブ（９ｃ）を備えるボックス形状の下側部分（９ａ）と、該ボックス形状の下側部分（９ａ）を閉鎖する上側部分（９ｂ）とを有することを特徴とする請求項１に記載のデバイス。
【請求項４】
前記ボックス形状の下側部分（９ａ）が、基部プレート（９ｄ）と、該基部プレート（９ｄ）上に着座すると共に、前記第１薬剤用ポケット領域（１０）の各々を部分的に囲繞して案内する壁部（９ｅ）と、前記リブ（９ｃ）とを有することを特徴とする請求項３に記載のデバイス。
【請求項５】
前記開口（８）が長楕円形孔の形状であることを特徴とする請求項１から４のいずれか一項に記載のデバイス。
【請求項６】
前記開口（８）の形状が、該開口（８）を貫通して案内された前記接続要素（９）が摩擦なしで該開口内を摺動するようになっていることを特徴とする請求項１から５のいずれか一項に記載のデバイス。
【請求項７】
前記薬剤用ポケット（４）の各々が、前記薬剤ウェハ（２）ではなく前記開口（８）が配置される前記第１薬剤用ポケット領域（１０）と、前記薬剤ウェハ（２）が配置される第２薬剤用ポケット領域（１１）とから成り、
前記第１薬剤用ポケット領域（１０）及び前記第２薬剤用ポケット領域（１１）が、互いに対して分離可能に接続されることを特徴とする請求項１から６のいずれか一項に記載のデバイス。
【請求項８】
前記第１薬剤用ポケット領域（１０）及び前記第２薬剤用ポケット領域（１１）が、ミシン目（７）を介して互いに接続されることを特徴とする請求項７に記載のデバイス。
【請求項９】
前記第２薬剤用ポケット領域（１１）の各々が、マーク縁部上に、該マーク縁部にて互いに隣接して配置された数個のマーク付け部分（２２）の内の１つのマーク付け部分におけるマーク（３）を有し、
前記積層体（１）における前記マーク（３）の各々が、１つの薬剤用ポケット（４）から次の薬剤用ポケット（４）にかけて連続的なマーク付け部分（２２）内に配置されることを特徴とする請求項７又は８に記載のデバイス。
【請求項１０】
前記積層体（１）が、前記少なくとも１つの接続要素（９）により担体（５）に対して付加的に接続されることを特徴とする請求項１から９のいずれか一項に記載のデバイス。
【請求項１１】
前記積層体（１）が、前記担体（５）と、前記各第２薬剤用ポケット領域（１１）を少なくとも部分的に覆うカバー（１２）との間に配置されることを特徴とする請求項１０に記載のデバイス。
【請求項１２】
前記カバー（１２）及び前記担体（５）が、一体片で形成されることを特徴とする請求項１１に記載のデバイス。
【請求項１３】
前記担体（５）上又は前記カバー（１２）上には、連続的な複数の時期表示部（６）が配置されることを特徴とする請求項１０から１２のいずれか一項に記載のデバイス。
【請求項１４】
前記各時期表示部（６）が、曜日又は暦日であることを特徴とする請求項１３に記載のデバイス。
【請求項１５】
前記第２薬剤用ポケット領域（１１）においては当該複数のマーク（３）の各々が、前記時期表示部（６）を有する前記カバー（１２）の前記縁部に隣接するマーク縁部上にて、各々の場合に、該マーク縁部上に互いに隣接して配置された数個のマーク付け部分（２２）の内の１つのマーク付け部分上に配置される複数のマーク（３）であって、前記積層体（１）における前記第２薬剤用ポケット領域（１１）においては、１つの薬剤用ポケット（４）から次の薬剤用ポケット（４）にかけて連続的なマーク付け部分（２２）内に配置される、複数のマーク（３）に対し、前記各時期表示部（６）がそれぞれ整列されるように、各時期表示部（６）が前記第２薬剤用ポケット領域（１１）に隣接する前記カバー（１２）の縁部上に配置されることを特徴とする請求項１３又は１４に記載のデバイス。
【請求項１６】
前記担体（５）が、前記第２薬剤用ポケット領域（１１）の縁部から突出する端部細片（１７）を有すると共に、該端部細片（１７）上に前記時期表示部（６）を有し、
前記第２薬剤用ポケット領域（１１）においては当該複数のマーク（３）が、前記端部細片（１７）に隣接するマーク縁部上にて、各々の場合に、該マーク縁部上に互いに隣接して配置された数個のマーク付け部分（２２）の内の１つのマーク付け部分上に配置される複数のマーク（３）であって、前記積層体（１）における前記第２薬剤用ポケット領域（１１）においては、１つの薬剤用ポケット（４）から次の薬剤用ポケット（４）にかけて連続的なマーク付け部分（２２）内に配置される、複数のマーク（３）に対し、前記各時期表示部（６）が夫々整列されることを特徴とする請求項１３又は１４に記載のデバイス。
【請求項１７】
前記担体（５）が、前記第２薬剤用ポケット領域（１１）を覆うために閉じられる蓋体（１３）と一体片で形成されることを特徴とする請求項１０から１６のいずれか一項に記載のデバイス。
【請求項１８】
前記蓋体（１３）が前記カバー（１２）まで延在し、且つ、
前記蓋体（１３）及び前記カバー（１２）がいずれもが閉じ要素（１５、１５’）を有するか、又は、前記カバー（１２）のみ又は前記担体（５）のみが閉じ要素（１５”）を有する結果として、前記蓋体（１３）が前記カバー（１２）と共に閉じられ得ることを特徴とする請求項１７に記載のデバイス。
【請求項１９】
一方の閉じ要素（１５）が金属要素であり且つ他方の閉じ要素（１５’）が磁石要素であり、又は、
前記閉じ要素（１５、１５’）が面ファスナー式閉塞体を形成し、又は、
一方の閉じ要素（１５）がボタン状であり且つ他方の閉じ要素（１５’）がボタン穴状に形成され、又は、
前記閉じ要素（１５”）がゴムバンドであることを特徴とする請求項１８に記載のデバイス。
【請求項２０】
前記薬剤用ポケット（４）の各々が、縁部側の切欠（１６）を付加的に有し、
前記積層体（１）における全ての薬剤用ポケット（４）を縦断して見ると、前記各切欠（１６）が階段状の外郭形状を有するように、薬剤用ポケット（４）毎に徐々に大きくなることを特徴とする請求項１から１９のいずれか一項に記載のデバイス。
【請求項２１】
避妊又はホルモン置換療法に資する薬剤ウェハ（２）を格納して提供する請求項１から２０のいずれか一項に記載のデバイスの使用法。
【発明の詳細な説明】
【技術分野】
【０００１】
本発明は、薬剤ウェハ、すなわち層状形態の薬剤を格納して提供するデバイス、及び、避妊又はホルモン置換療法に対して有用な薬剤ウェハのための該デバイスの使用法に関する。
【背景技術】
【０００２】
薬剤ウェハ（ｍｅｄｉｃａｍｅｎｔ  ｗａｆｅｒ）とは、有効成分用担体内に保持された医薬的な有効成分を含有する薄寸体形態の部材である。ウェハ内の有効成分は、該ウェハを舌の上又は下に載置し、その後、有効成分用担体が溶け且つその様にする際に有効成分を放出することにより、例えば、経粘膜的に、すなわち口腔の粘膜を介して投与され得る。提供されるウェハは、フィルム・ポケット内に囲繞される。特許文献１に依れば、これらのポケットは少なくとも一枚の支持フィルム及び少なくとも一枚のカバー・フィルムから構成され得、その場合、少なくとも大きな面積を有する方のフィルムは２つの平行な側縁部を有し、且つ、上記支持フィルムとカバー・フィルムとの間には、フィルム状又は層状の材料（ウェハ）が気密的及び防湿的な様式で囲繞される。薬剤用ポケットを格納して提供するデバイスは、積層された複数のフィルム・ポケットを内部に収容し得る。
【０００３】
ウェハを格納して提供するために特許文献１に記述されたデバイスは、少なくとも一回だけ仕切られたハウジングであって、その横方向内側面上には、積層された各フィルム・ポケットの側縁部が当接する一方、協働するカバー・フィルムの縁部を越えて突出する支持フィルムの縁部は前方向内側面に当接するハウジングを備えて成り、その場合、積層された複数のフィルム・ポケットは、スプリングにより、該ハウジングの上方向内側面に当接して押圧される。上記ハウジングの前方の上側領域は、上記支持フィルム及びカバー・フィルムの別体的な供与のために２つのスリットを有し、上記ウェハは、上記支持フィルムと共に、又は、上記カバー・フィルムと共に提供され得る。フィルム・ポケットが取出された後、上記スプリングは、残存するフィルム・ポケットを一体的に上記スリットの近傍に保持すると共に、それらを更なる取出しのために位置決めする、という目的を有している。上記各スリットの間には、上記カバー・フィルムから上記支持フィルムを分離するための分離ツールが配置され、このツールに対しては、最上の上記支持フィルムが、その領域を上記カバー・フィルムの前縁部の前方に位置させて当接する。回転軸心の回りで回転可能な位置移動要素が、上記ハウジングから各薬剤用ポケットを外方へと位置移動させる。
【０００４】
このデバイスは、一定の時間に服用されるべきことが意図されたウェハが、既に服用されたのか依然として服用されるべきかを、ユーザが監視する可能性を有さない、という不都合を有している。結果として、１枚のウェハの代わりに２枚のウェハが服用されることが起こり易く、又は、ユーザがウェハを服用することを完全に失念する。更に、この閉じられたデバイスによれば、ユーザは、自身が既に何枚のウェハを服用したのか、又は、何枚のウェハが依然として服用されるべきかを視認することができない。このコンパクトなデバイスを開くことは企図されておらず、それを開くと破壊することになる。
【０００５】
錠剤、被覆ピルなどを投与する時間及び頻度を監視する可能性に関し、先行技術は、所謂る薬剤ブリスタ・パック、すなわち、錠剤、被覆ピルなどを格納する部材を開示しており、その場合、錠剤、被覆ピルなどは、第１箔体にエンボス加工された複数のポケットを含み、且つ、該箔体は、上記各ポケットをシールする第２箔体であって、裂開され得る第２箔体に対して接続される。
【０００６】
例えば、特許文献２において、ブリスタ・パックは、錠剤に対する列状のポケットを備えており、その場合、各ポケットは明確な様式で少なくとも１暦月の各日に対応し、これに加え、各ポケットの近傍には、各ポケットが上記暦月の唯一の暦日により視覚的に特定され得る如き様式で更なる連続的な整数表示が配置されると共に、連続的な整数表示は、それらが第２箔体の後側から視認され得る如き様式で該第２箔体における裂開可能領域に基づいて配置され、且つ、各領域は、暦月の唯一の暦日により視覚的に特定可能である。故に、各ポケットは、前面及び後面の両方から、唯一の暦日により視覚的に特定され得る。この様にして、日々の錠剤の服用、及び、ユーザの服薬順守の観察は、更に容易とされ得る。
【０００７】
更に、特許文献３は、各錠剤を配列形態で受容すべく使用される配置機構であって、該配置機構は、所定の表面積を備えるブリスタ・パックであって、選択された配列で構成された複数の錠剤が配置されるブリスタ・パックと、該ブリスタ・パックを受容する容器と、該ブリスタ・パックにおける錠剤の配列と整列され得る日次的暦とを備えて成り、上記日次的暦は、選択された開始日を上記錠剤の配列における第１の錠剤に位置決めするために移動可能とされ、且つ、上記容器上にはポインタが配備されると共に、上記ブリスタ・パックは、その縁部の近くに且つ第１錠剤の近傍に位置決定ノッチを有することから、服用されるべき上記第１錠剤が示される、という配置機構を記述している。
【０００８】
更に、特許文献４は、ブリスタ・パックを受容するケースであって、第１ケース半体と、該第１ケース半体上に枢着された第２ケース半体とを備えて成るケースを開示している。上記第１ケース半体はブリスタ・パックを受容するポケットとして設計されると共に、該第１ケース半体は、外側部分と、内側視認部分と、該視認部分における第１の複数の開孔と、上記外側部分における第２の複数の開孔とを有し、上記第１の各開孔は、少なくとも、上記ポケット内に受容された後で各錠剤に対する容器が上記ブリスタ・パックにおいて位置決定される箇所にて特に、第２の各開孔と整列されている。上記第２ケース半体は、各曜日を表す表示手段を受容する区画と、該区画の領域において上記第２ケース半体の内側視認領域において各曜日を表す複数の窓部とを有し、各窓部は、それらが、上記ポケット内に受容されたブリスタ・パックの各容器の夫々の列に割当てられる如き様式で配置されている。
【先行技術文献】
【特許文献】
【０００９】
【特許文献１】独国特許第１０１  ５９  ７４６号
【特許文献２】欧州特許第０  １６６  ７６３号
【特許文献３】欧州特許第０  ５１１  ７２６号
【特許文献４】独国特許出願公開第１０  ２００５  ０３２  ０１５号
【発明の概要】
【発明が解決しようとする課題】
【００１０】
しかし、薬剤単位を格納して提供するデバイスのこれらの実施形態は、ブリスタ・パック内における錠剤に関しており、薬剤用ポケット内の薬剤ウェハには関していない。
【００１１】
故に、本発明の目的は、薬剤ウェハを格納して提供するデバイスであって、薬剤ウェハが服用される推移を監視することを可能にするデバイスを実現するに在る。
【００１２】
本発明の別の目的は、上記デバイスから各ウェハが所定の周期で確実に取出されること、すなわち、計画された如く所定時点において薬剤ウェハが服用されているか否かをユーザが監視することを上記デバイスが許容すること、を確実にするに在る。
【００１３】
本発明の更なる目的は、薬剤ウェハを格納して提供するデバイスであって、毎日の使用に対して適切であると共に、必要とされる物理的安定性を有し、且つ、容易に且つ単純に、故に安価に、製造され得るデバイスを実現するに在る。
【００１４】
本発明の更なる目的は、薬剤ウェハを格納する安全な手段を提供するに在る。
【課題を解決するための手段】
【００１５】
これらの及び他の目的は、薬剤ウェハを格納して提供すべく権利請求されたデバイスにより、且つ、権利請求された該デバイスの使用法により達成される。本発明の好適実施形態は、従属請求項中に示される。
【００１６】
本発明に係るデバイスにおける薬剤用ポケットは典型的に、基部フィルムとカバー・フィルムとから成る。上記カバー・フィルムは、好適には、該カバー・フィルムの側縁部に沿い延在する細片形状の結合部材を介して、例えば、上記基部フィルムに対して接着剤結合又は溶着される。更に、特に好適な実施形態において、上記基部フィルム及び上記カバー・フィルムは、少なくとも１つの側縁部上で、各々、相互に対して接続されない突出タブを有し得る。これにより、上記薬剤用ポケット内に収容されたウェハを取出すために該薬剤用ポケットを取り壊すことで開くことが相当に容易とされる、と言うのも、上記の２枚のフィルムが容易に把持され得るからである。上記結合部材により形成される領域の内側にて、上記基部フィルムと上記カバー・フィルムとの間には、好適には気密的及び防湿的な様式で薬剤ウェハが囲繞される。上記各フィルム・ポケットは、それらの構造の結果であるか、又は、ウェハにより引き起こされて該ウェハの領域においてのみ配備される小寸の隆起領域を有している。
【００１７】
本発明に係る薬剤ウェハを格納して提供するデバイスは、薬剤ウェハを格納して提供する複数の薬剤用ポケットの積層体と、少なくとも１つの接続要素とを備えて成る。上記薬剤用ポケットは各々が第１薬剤用ポケット領域を有し、これらの第１薬剤用ポケット領域は夫々、相互に対して整列された開口であって、該開口を貫通して上記少なくとも１つの接続要素が案内されて各薬剤用ポケットを相互に対して接続すると共に、それらを相互に対して移動可能に配置する開口を備える。
【００１８】
整列された各開口を貫通して案内される上記接続要素の機能であって、各薬剤用ポケットを相互に対して移動可能に配置するという機能によれば、上記開口を有する薬剤用ポケットの領域同士は直接的に相互の上に位置する必要が無い代わり、それらは相互から僅かに離間され得ることが好適に達成される。これにより、例えば、濡れた書籍であって、背部で綴じられていない方の該書籍の各頁の側部領域が空間的広がりにおいて全体的に更に多くの場所を占有することから該書籍を見苦しく不体裁にする書籍と同じ様に、夫々の薬剤ウェハの領域における薬剤用ポケットの大きな厚みの故に、特に、薬剤用ポケットの上記開口から離間された方の側にて、その他の場合には相互の上に緊密に位置する各薬剤用ポケットの方向において、上記積層体が非実用的で不適切な様式で扇状に拡開する、という状況が回避される。
【００１９】
先行技術と比較して、この簡素なデバイスは、ユーザは残存する薬剤用ポケットの個数を常にチェックし得ると共に、該ユーザは、最初の投与の開始時に薬剤用ポケットの総数を知り且つ薬剤用ポケットの最初の投与又は取出しの開始日を知ることにより、自身が既に薬剤用ポケットを取出したか、又は、依然としてそれを取出すべきかを決定し得る、という更なる利点を有している。これに加え、ユーザは、治療がどれだけ継続するか、又は、自身が新たなデバイスをいつ必要とするかを決定し得る。
【００２０】
本発明に係る上記デバイスは好適には、避妊又はホルモン置換療法に資する薬剤ウェハを格納して提供すべく使用され得る。
【００２１】
詳細な説明
上記各開口を貫通して案内されると共に、各薬剤用ポケットを相互に対して接続し且つそれらを相互に対して移動可能に配置する上記少なくとも１つの接続要素は、例えば、リベットとして設計され得、すなわち、該少なくとも１つの接続要素は、例えばロッド形状である２つの接続要素部分であって、相互内に差込まれるか、又は、一体的に螺着されるか、又は、相互に対して接着剤結合され得る２つの接続要素部分から成り得る。上記少なくとも１つの接続要素は、ロッド形状ともされ得る。
【００２２】
本発明の別実施形態において上記接続要素はまた、それが２つの部分から成り、それらが一体的に結合されたとき、各薬剤用ポケットにおける開口を殆ど完全に充填し得る、というコンパクトな設計態様も有し得る。上記少なくとも１つの接続要素は特に、上記各開口を貫通通過するために自身内に配置されたリブを備えるボックス形状の下側部分と、該ボックス形状の下側部分を閉鎖する上側部分とを備えて成り得る。更に、上記ボックス形状の接続要素の上記ボックス形状の下側部分は、基部プレートと、該基部プレート上に着座すると共に、夫々の第１薬剤用ポケット領域を部分的に囲繞することでそれらを案内する壁部と、上記リブとを有し得る。
【００２３】
接続要素とは、いずれの場合でも、各薬剤用ポケットにおける開口を貫通して案内されて各薬剤用ポケットを接続する構成要素として理解されるものとする。故に、リベット、及び、上記コンパクトな接続要素の上記リブもまた、接続要素として理解され得る。上記リブの場合は当然乍ら、上記積層体を一体的に保持するために、該リブの脚部及び頭部にて付加的で適切な保持デバイスが必要とされる。これらの付加的な保持デバイスは、例えば、上記ボックス形状の下側部分と、上記上側部分とから成る上記ボックス構造により実現され得る。代替的に、上記リブの脚部及び頭部は、協働して上記積層体を保持すべく異なる様に構成された頭部部分及び脚部部分を備えることも可能である。上記リブはまた、リブ形状の２つのリベット頭部を備えたリベットとしても設計され得る。
【００２４】
上記少なくとも１つの接続要素を形成する各接続要素部分が一体的に結合されたとき、それらの接続要素部分は、相互上に掛止し得ると共に、好適には、破壊されなければ再び分離され得ないか、又は、それらの接続要素部分は、相互に対して接着剤結合又は溶着され得るか、又は、別の結合技術を用いて一体的に結合もされ得る。これらの全ての場合において、上記結合部材は、不正操作防止閉塞体、すなわち、不正操作に対して安全な閉塞体と称されるものを構成する。上記接続要素を形成する上記少なくとも２つの部材が形状的嵌合接続により一体的に結合されれば、特に好適である。
【００２５】
リベットとは、相互内に係合することから形状的嵌合により相互に接続される少なくとも２つの部分から成る接続要素であって、適切な頭部の設計態様により、該少なくとも２つの部分の間に配置された薬剤用ポケットの積層体を協働して保持もし得る接続要素として理解されるものとする。
【００２６】
上記第１薬剤用ポケット領域に配置される上記開口は好適には、長楕円形孔の形態である。本発明の特に好適な実施形態において、各薬剤用ポケットは、相互から離間された２つの接続要素を用いて接続され得ると共に、特に、各接続要素は各々、上記長楕円形孔の各端部に隣接して貫通して案内され得る。この実施形態は、個々の薬剤用ポケットが相互に対して移動することを回避する。この様にして、各接続要素は、薬剤用ポケットに対する案内要素としても作用する。
【００２７】
上記各開口の形状は好適には、該開口を貫通して案内される接続要素が摩擦なしで該開口内を摺動する如きである。
【００２８】
上記デバイスの選択された構造により、ウェハが自身内に収容された各薬剤用ポケットは、一体的に冊子体又は書籍における如く積層されると共に、好適には頂部から相次いで取出され得る。最初のウェハを投与するために、頂部に位置するポケットが取出されるとき、積層体においてその下方に位置するポケットが視認可能となる。下方に位置するこのポケットは次に、引き続く二回目の投与の間に取出され得る。ウェハを備える他の各ポケットは、上記積層体における該ポケットの順序に従い取出され得る。上記ポケットは、破り取られ又は切り離されることで、取出され得る。
【００２９】
本発明の好適実施形態において、薬剤ウェハではなく上記開口が配置される第１薬剤用ポケット領域を有することに加え、上記薬剤用ポケットは、薬剤ウェハが配置される第２薬剤用ポケット領域も有している。
【００３０】
上記第１薬剤用ポケット領域及び上記第２薬剤用ポケット領域は好適には、相互に対して分離可能に接続される。上記第１薬剤用ポケット領域及び上記第２薬剤用ポケット領域は好適には、ミシン目を介して相互に対して接続される。これにより各ポケットは、例えば、破り取られ又は切離されることにより、積層体から容易に取出され得る。本発明の特に好適な実施形態において、当該ミシン目を介して上記第１薬剤用ポケット領域及び上記第２薬剤用ポケット領域が相互に対して接続される上記ミシン目は、上記薬剤用ポケットの全幅に亙っては形成されず、代わりに、更に短寸とされて、その各端部の両方において、切欠きの如く作用するスリットへと融合する。これにより、薬剤ウェハの取出しが相当に容易とされる。故に、薬剤用ポケットの堅固な材料特性を考慮すると、上記第２薬剤用ポケット領域を分離するプロセスの開始時に生ずることが多い困難性を回避又は低減し得ることが見出された。
【００３１】
薬剤用ポケットの個数の概覧を更に簡素化又は改善するために、薬剤用ポケットは各々、該薬剤用ポケットの縁部上に配置された切欠であって、好適には上記第１及び第２の薬剤用ポケット領域により連帯して形成される切欠を有し得る。各切欠は、例えば、上記薬剤用ポケットから打抜かれ得る。それらは、上記積層体において下方に位置する薬剤用ポケットのグラフィック記号の視認を与える。上記グラフィック記号は、例えば、２個の着色ドット、笑顔マーク、会社ロゴ又は横棒の如き記号とされ得る。上記切欠は、積層体における全ての薬剤用ポケットを縦断して見ると各切欠が階段状の外郭形状を有する結果として全ての薬剤用ポケット上のマークが視認可能である如く、薬剤用ポケット毎に段増的に大きくなる。上記各切欠、及び、それを通して認識され得るグラフィック記号はまた、上記積層体の製造の間において製造作業員、又は、適切な監視デバイスが、積層体が完全であることを容易にチェックし得ることから、積層体における薬剤用ポケットの個数を容易にチェックし得る、という利点を有している。
【００３２】
本発明の別の好適実施形態において、上記第２薬剤用ポケット領域の各々は、マーク縁部上に、該マーク縁部にて相互に隣接して配置された数個のマーク付け部分の内の１つのマーク付け部分におけるマークを有し、上記積層体内における各第２薬剤用ポケット領域上の夫々のマークは、１つの薬剤用ポケットから次の薬剤用ポケットにかけて連続的なマーク付け部分内に配置される。この様にして、ユーザは、各薬剤ウェハが投与される推移を容易に監視し得る。
【００３３】
本発明の別の好適実施形態において、上記積層体は付加的に、該積層体に対して付加的な安定性を付与して該積層体を物理的損傷から保護する担体に対し、上記少なくとも１つの接続要素により接続され得る。これに加え、上記第２薬剤用ポケット領域を少なくとも部分的に覆うカバーが配備され得る。該カバーは、例えば、上記接続要素の構成要素部分ともされ得る。上記積層体は好適には、上記担体と、上記第２薬剤用ポケット領域を少なくとも部分的に覆う上記カバーとの間に配置される。上記カバー及び上記担体が一体片で形成されれば、特に好適である。
【００３４】
上記担体及び上記カバーは、特に、各薬剤用ポケットの保護のために配備される。上記担体及び上記カバーは好適には、例えば厚紙又はプラスチックなどの、安定的な材料で作成される。上記カバー及び／又は上記担体はまた、刻印、又は、ロゴ、又は、専ら機能的な目的を有するのでは無く、代わりに美観的な目的にも有用であるか又は美観的な目的にのみ有用である他の一定の構成物も備え得る。例えば、上記カバーの内側面上には、ミラー、又は、例えば写真又は絵などのグラフィック的表現物も配置され得る。同様に、この部位は、例えば、白粉（おしろい）の如き化粧品、又は、同様のメーキャップ品が準備して保持される保存領域も備え得る。上記カバーの上記内側面上には、ポケット計算機又は時計も配備され得る。上記デバイス及び表現物は、上記カバーの外側面上、及び／又は、上記担体の内側面又は外側面上に、同様に又は付加的に配備され得る。
【００３５】
別の特定実施形態において、上記担体又は上記カバー上には、連続的な複数の時期表示部が配置される。上記各時期表示部は上記薬剤用ポケット上の複数のマーク付け部分と夫々整列され、且つ、ユーザがウェハの投与を監視することを許容する。
【００３６】
もし上記時期表示部が上記カバー上に配置されるなら、該カバーは好適には、詳細には、第２薬剤用ポケット領域上のマークが、該カバーが閉じられたときに依然として視認され得ると共に上記各時期表示部と整列され得る程度までのみ、上記第２薬剤用ポケット領域を部分的に覆う。但し各時期表示部はまた、それらが、上記ウェハ用ポケット冊子体が開かれたとき薬剤用ポケット上のマークと共に視認可能である如く、上記カバーの内側面上にも配置され得る。
【００３７】
好適には、上記時期表示部は、上記第２薬剤用ポケット領域に隣接する上記カバーの縁部上に配置される。故に、上記第２薬剤用ポケット領域において、該時期表示部を有する上記カバーの上記縁部に隣接するマーク縁部上に各々が配置されたマークに対し、各時期表示部は夫々整列される。各マークは、各々の場合、上記マーク縁部上で相互に隣接して配置された数個のマーク付け部分の内の１つのマーク付け部分に配備され、且つ、各マークは、上記積層体における各第２薬剤用ポケット領域においては、１つの薬剤用ポケットから次の薬剤用ポケットにかけて連続的なマーク付け部分内に配置される。
【００３８】
更に、上記担体は、上記第２薬剤用ポケット領域の縁部から突出する端部細片を有し得ると共に、該端部細片上に上記時期表示部を有している。この場合に各時期表示部は、上記第２薬剤用ポケット領域において上記端部細片に隣接するマーク縁部上に配置された各マークと夫々整列され得る。上記マークは各々の場合、上記マーク縁部上で相互に隣接して配置された数個のマーク付け部分の内の１つのマーク付け部分内に配備される。それらは、上記積層体における上記第２薬剤用ポケット領域において、１つの薬剤用ポケットから次の薬剤用ポケットにかけて連続的なマーク付け部分内に配置される。上記時期表示部は、上記端部細片の内側面上、又は、その外側面上のいずれかに配置され得る。第１の場合、上記時期表示部、及び好適には上記マークもまた、上記端部細片が折り広げられたときのみに視認可能である。第２の場合、上記端部細片は、時期表示部を視認可能とするために折り畳まれねばならない。この場合、上記薬剤用ポケット上のマークは、上記端部細片が折り畳まれたときに該端部細片上の各時期表示部に対して各マークが隣接する如き様式で配置されるものとする。
【００３９】
最後に言及された２つの実施形態の助力により、薬剤ウェハが投与される推移が更に良好に監視され得る、と言うのも、この推移は上記時期表示部に関連するからである。
【００４０】
もし各ウェハが毎日服用されるべきであれば、好適実施形態における上記時期表示部は、曜日又は暦日を表し、後者は、ひと月の日々の付番により示される。暦日の表示と比較し、曜日を示す表示部は、反復の割合が更に頻繁であるという利点を有している。これにより、上記担体の端部細片又は上記カバー上の時期表示部の更に容易な配置が許容される、と言うのも、最初の日に対し、暦日が表示される場合に合致する日は２８個、２９個、３０個又は３１個の暦日から選択されるべきであるが、合致する曜日は７個の曜日から選択されることのみが必要だからである。
【００４１】
上記時期表示部は好適には、上記担体の上記端部細片に対し、又は、上記カバーに対し、複数の時期表示部を有する例えば表示細片などの表示手段を装着することにより配備される。例えば、複数の時期表示部を含む表示細片は、それを、上記担体の上記端部細片上又は上記カバー上のホルダ内へと摺動挿入することにより、又は、それを、上記担体の上記端部細片に対し又は上記カバーに対して固着することにより、装着され得る。例えば上記ホルダは、挿入された上記表示細片上に配置された時期表示部の領域におけるスリットであって、該時期表示部の視認を許容する窓部であって頂部の薬剤用ポケット上で整列されたマークに対する割当てを許容する窓部を有するスリットとして設計され得る。
【００４２】
例えば、この種の表示細片は最初は、上記担体の上記端部細片に対する又は上記カバーに対する装着のために該表示細片を適切に準備し得るべく、上記ホルダ内に収容され得る連続的な時期表示部の約２倍の個数の時期表示部を有し得る。最初にウェハが服用されるべきときを決定した後、上記表示細片上の関連する時期表示部が、上記担体の上記端部細片又は上記カバー上に載置されると共に、この決定された時期表示部から開始して、上記表示細片の長さは、上記担体の上記端部細片又は上記カバー上で利用可能な長さに対応する長さ領域まで、減少される。例えば上記表示細片は、最初の投与に対し、屈曲されるか、切り取られ得る。この様に準備された上記表示細片は次に、各時期表示部が各薬剤用ポケット上のマークと夫々整列される如く、例えば、上記担体の上記端部細片又は上記カバー上の上記ホルダ内へと押し込まれ又は其処で締着され、又は、上記担体の上記端部細片又は上記カバーに対して固着されることで、上記担体の上記端部細片又は上記カバー上の上記ホルダ内に固定される。当然乍ら、上記表示細片上、又は、上記担体の上記端部細片又は上記カバー上の上記時期表示部は、手書き形態でも適用され得る。各ウェハの投与の段階の開始時には、各曜日、各暦日、又は、他の時期表示部が好適に適用される。
【００４３】
本発明の別実施形態において、当該担体上に薬剤用ポケットの積層体が配置される担体もまた好適には、各第２薬剤用ポケット領域を覆うために閉じる蓋体と一体片で形成される。実施形態に依存し、上記蓋体は、複数の時期表示部を備えた上述の端部細片を備えて成り得る。
【００４４】
好適実施形態において、上記蓋体は上記カバーまで延在し得、且つ、上記蓋体が上記カバーと共に閉じられ得る如く、上記蓋体及び上記カバーはいずれもが閉じ要素を有するか、又は、上記カバーのみ又は上記担体のみが閉じ要素を有し得る。
【００４５】
本発明の好適実施形態において、例えば、第１閉じ要素は例えば金属細片などの金属要素とされ得ると共に、第２閉じ要素は例えば磁性細片などの磁石要素とされ得る。同様に、各閉じ要素は面ファスナー式閉塞体を形成することも想起可能である。本発明の別の変更例において、各閉じ要素はまた、例えばハンドバッグにおける如きスナップボタン・システムも形成し得る。別実施形態において、一方の閉じ要素はボタン状とされ得ると共に、他方の閉じ要素はボタン穴の様に形状化され得ることから、それらは相互に対して接続され得る。同様に、各閉じ要素の一方は、第２の閉じ要素におけるスリット状開口内へと挿入されるクリップとして設計され得る。更に、上記担体又は上記カバーは、例えばゴムバンドなどの延伸可能な閉じ要素を有し得る。この実施形態において、閉じられた上記カバーまで延在して該カバー上又は該カバーの下方に当接すべく閉じられた上記蓋体は、上記ゴムバンドにより上記カバーに対して接続され、該ゴムバンドは、上記デバイス全体の外部の回りに案内される。
【００４６】
避妊に対して使用され得る本発明に係るデバイスは、例えば、薬剤ウェハを受容する１２０個の薬剤用ポケットの積層体を収容し得る。避妊に対し、これまでは、２１日間に亙り各日にて一投与単位、すなわち一枚のウェハが服用されることが通常的とされており、この投与段階は、７日間の薬剤なし段階により追随される。代替的に、２４日間に亙り各日にて一投与単位が服用され得、この投与段階は、４日間の薬剤なし段階により追随される。しかし、最近の避妊の場合、例えば１２０日に達する２１日より長く続く弾力的投与サイクルが使用される。この更に長期の段階は次に、例えば４日間の薬剤なし段階により追随される。斯かる場合に対して十分な個数でウェハを提供し得るために、上記積層体においては、２８個の総数よりも多い個数の薬剤用ポケットも利用可能とされ得る。例えば、上記デバイスにおいては、投与段階に対して６０個の、あるいは１２０個とさえされる薬剤用ポケットが配備され得る。
【００４７】
本発明に係る上記デバイスは好適には、偽造防止的である。この目的のために、上記デバイス上には、該デバイスが真正であることの検証を可能とする、例えば微小文字、ホログラム、傾斜画像又は他の偽造防止用特定構造による追加印刷などの、１つ以上の偽造防止用特定構造が配備される。
【００４８】
以下に記述される各図は、本発明の概略的な理解を提供する役割を果たす。但し各図は、本発明を限定するものと理解されるべきでなく、代わりに、他の好適実施形態を排除することなく、単に、好適である幾つかの実施形態を説明することが意図されている。
【図面の簡単な説明】
【００４９】
【図１】本発明の第１実施形態に係るウェハの積層体の斜視図である。
【図２】本発明の第２実施形態に係るウェハの積層体の斜視図である。
【図３】本発明の第３実施形態に係るウェハ用ポケット冊子体の斜視図であり、閉じられた状態で階段形状の切欠を備えている。
【図４】本発明の第４実施形態に係るウェハ用ポケット冊子体の斜視図である。
【図５】図４からのウェハ用ポケット冊子体の閉じ状態における別の斜視図である。
【図６】本発明の第５実施形態に係るウェハ用ポケット冊子体の斜視図である。
【図７ａ】本発明の第６実施形態に係るウェハ用ポケット冊子体の種々の組立て段階における斜視図であり、図７ａは、スリットを備えた担体を示す図である。
【図７ｂ−１】積層体及び接続要素を別体的に示す図である。
【図７ｂ−２】組立てられた積層体及び接続要素を示す図である。
【図７ｃ】組立て状態におけるデバイスを示す図である。
【図７ｄ】閉じ状態におけるデバイスを示す図である。
【図７ｅ】ウェハ用ポケット冊子体の代替実施形態を示す図である。
【図８】図４からのウェハ用ポケット冊子体の開き状態及び閉じ状態における側面図である。
【図８ａ】図８に由来するが、磁石式閉塞体を備えるウェハ用ポケット冊子体の側面図である。
【図９】図４からのウェハ用ポケット冊子体の斜視図であり、延伸可能な閉じ要素により部分的に開かれた状態及び閉じられた状態とされている。
【図１０】図９からのウェハ用ポケット冊子体の斜視図であり、別の閉じ要素により開かれた状態及び閉じられた状態とされている。
【図１１】本発明に係るウェハ用ポケット冊子体の部分的に開かれた状態及び閉じられた状態における側面図である。
【図１２ａ−１】図７に由来する接続要素を備えたウェハ用ポケット冊子体の別実施形態の異なる組立て段階における斜視図であり、図１２ａは、接続要素を備えた担体を示す図であり、図１２ａ−１は、各曜日を示す細長片の配置構成の第１変更例を示す図である。
【図１２ａ−２】各曜日を示す細長片の配置構成の第２変更例を示す図である。
【図１２ｂ】積層体の挿入後を示す図である。
【図１２ｃ】部分的に閉じられたデバイスを示す図である。
【発明を実施するための形態】
【００５０】
各図における同一の参照番号は、同一の特定構造を表している。
【００５１】
図１は、薬剤ウェハ２を格納して提供する本発明に係るウェハ用ポケット冊子体を示している。該ウェハ用ポケット冊子体は、薬剤ウェハ２を格納して提供するための数個の薬剤用ポケット４、４’、４”の積層体１から成る。薬剤用ポケット４、４’、４”は、第１薬剤用ポケット領域１０及び第２薬剤用ポケット領域１１を有している。各薬剤ウェハ２は、第２薬剤用ポケット領域１１内に収容される。各第１薬剤用ポケット領域１０は夫々、相互に整列された開口８を有する。各開口８は、長楕円形孔として設計される。各開口８を貫通して、接続要素９が案内される。該接続要素９は、薬剤用ポケット４、４’、４”を相互に対して接続すると共に、それらを相互に対して移動可能に配置する。接続要素９は、リベットである。第１薬剤用ポケット領域１０及び第２薬剤用ポケット領域１１はミシン目７を介して相互に接続されることから、該ミシン目７において第１薬剤用ポケット領域１０から第２薬剤用ポケット領域１１を単純に引裂くことにより、薬剤ウェハ２を取り外すことが更に容易とされる。第１薬剤用ポケット領域１０は、上記ウェハ用ポケット冊子体に留まる。
【００５２】
図２は、本発明に係るウェハ用ポケット冊子体の好適実施形態を示している。図２に係るウェハ用ポケット冊子体は、図１におけるウェハ用ポケット冊子体の設計態様と実質的に同一である。該ウェハ用ポケット冊子体は、薬剤ウェハ２を格納して提供するための数個の薬剤用ポケット４、４’、４”の積層体１から成る。薬剤用ポケット４、４’、４”は第１薬剤用ポケット領域１０及び第２薬剤用ポケット領域１１を有し、再び、各第２薬剤用ポケット領域は夫々、整列された開口８を備えている。開口８は、長楕円形孔として設計される。図１と対照的に、この実施形態における薬剤用ポケット４、４’、４”は、コンパクトな接続要素９により相互に対して接続される。コンパクトな接続要素９は、組立て状態において上記開口を完全に充填する。
【００５３】
リベットであるコンパクトな接続要素９は、積層体１の上方に示される。接続要素９は、下側部分９ａ及び上側部分９ｂを有する。下側部分９ａは、下方から、長楕円形孔８に貫通して係合する。支柱状のリベット・ホルダ９ｄ、９ｅは基部プレート９ｃ上に固着されると共に、該リベット・ホルダは、該リベット・ホルダ９ｄ、９ｅの外側面が上記長楕円形孔の丸形端部に対して無拘束的に当接する如き様式で、相互から離間される。これらの外側面は、上記リベットの下側部分９ａ上に相次いで載置された薬剤用ポケット４、４’、４”が、それらの夫々の長楕円形孔８によりリベット９上へと容易に摺動する如く、頂部に向けて僅かに内方に傾斜する（リベット・ホルダ９ｅの拡大図を参照）。積層体１全体が一旦形成されたなら、リベット９は、支柱状のリベット・ホルダ９ｄ、９ｅの中間に押圧される該リベットの上側部分９ｂにより、閉じられる。上記リベットの下側部分９ｂに対する該リベットの上側部分９ａの形状的嵌合接続のために、両方のリベット部分は、相互に対して掛止する鋸歯状側面を有する。リベット９が閉じられた後、積層体１は、該積層体１の一体性が取扱いの間に阻害される虞れなしで、何らの問題なく取扱われ得る。上記形状的嵌合接続によれば、上記接続要素を破壊しなければ上記リベットは開かれ得ないことも確実とされる。これにより、不正操作に対して安全な設計態様が許容される。更に、リベット留めされた積層体１は、別体の担体を補充するためにも使用され得る。リベット９は、薬剤用ポケット４、４’、４”が該リベット上で垂直の遊びを有する如き長さである。この様にして、各第２薬剤用ポケット領域１１と各第１薬剤用ポケット領域１０との間の厚みの差を考慮することが可能である。薬剤用ポケット４、４’、４”はまた、摩擦なしで、リベット９上で摺動する。
【００５４】
第１薬剤用ポケット領域１０及び第２薬剤用ポケット領域１１はミシン目７を介して相互に接続され、該ミシン目は全体として図１に示されたよりも短寸であり、すなわち、薬剤用ポケット４、４’、４”の全幅に亙り延在しない代わりに、該ミシン目の２つの端部にてスリット２０に融合する。この様にして、第２薬剤用ポケット領域１１に配置された薬剤ウェハ２の取出しは、ミシン目７における第１薬剤用ポケット領域１０からの第２薬剤用ポケット領域１１の更に容易な引裂きにより促進される。実際、第１薬剤用ポケット領域１０から第２薬剤用ポケット領域１１への遷移部における材料の性質の故に、多くの場合において薬剤用ポケット領域１０、１１は相互から容易には分離され得ず、その問題はこの手段により回避されることが見出された。分離の後、第１薬剤用ポケット領域１０は上記ウェハ用ポケット冊子体上に留まる。
【００５５】
図３は、図１に類似した構造を有する本発明の別実施形態の斜視図を示しており、薬剤用ポケット４、４’、４”は各々、切欠１６及びマーク３を付加的に有している。切欠１６は各々、第１及び第２薬剤用ポケット領域１０、１１が共通して有する薬剤用ポケット４の縁部に配置される。積層体１における連続的な薬剤用ポケット４、４’、４”の個々の切欠１６は、薬剤用ポケット毎に段増的に大きくなる結果として、全ての薬剤用ポケットを縦断して見ると、各切欠は薬剤用ポケット毎の階段状の外郭形状を有する如き様式で設計される。例えば、製造プロセスの間において薬剤用ポケット４、４’、４”から打抜かれ得る各切欠１６によれば、該切欠の領域において２個のドットとして示されるグラフィック記号２１であって、積層体１において下方に位置する薬剤用ポケット４’、４”上であるグラフィック記号２１の視認が許容される。
【００５６】
この実施形態において、積層体１は担体上に配置される。積層体１及び上記担体は、２本のリベット９により相互に接続される。代替的に、１本だけのリベット９’を使用し、積層体１を上記担体に対して接続すると共に、薬剤用ポケット４、４’、４”を相互に対して接続することも可能であろう。マーク３は、頂部の薬剤用ポケット４上で、第２薬剤用ポケット領域１１において視認され得る。
【００５７】
この実施形態において、上記担体は、第２薬剤用ポケット領域１１の１つの縁部から突出する端部細片１７を有すると共に、該担体は、端部細片１７上に配置された時期表示部６を有している。第２薬剤用ポケット領域１１の上記縁部はマーク縁部であり、該縁部上にマーク３が配置される。此処では曜日表示部である各時期表示部６は、夫々のマーク３と整列される。
【００５８】
各時期表示部６は、例えば該時期表示部を示す細片を固着することにより適用されると共に、”Ｍｏ”、”Ｄｉ”、”Ｍｉ”、”Ｄｏ”、”Ｆｒ”、”Ｓａ”及び”Ｓｏ”とされた各曜日を備えて成る。この細片は、最初の曜日の表示部が最も左に現れる如き様式で調製される。頂部の薬剤用ポケット４上には、曜日表示部”Ｍｏ”に整列して最初のマーク３が整列される。更なるマークは示されない、と言うのも、それらは、上側の薬剤用ポケット４により覆い隠されるからである。
【００５９】
図４は、図３に類似する階段形状の複数の切欠１６による設計態様を備えた本発明の別実施形態の斜視図を示している。この実施形態においては、担体５に加えてカバー１２が配備され、その場合に担体５及びカバー１２は一体片で形成される。カバー１２は、第１薬剤用ポケット領域１０を縦断し、第２薬剤用ポケット領域１１の下縁部までも延在する。それは殆ど、第２薬剤用ポケット領域１１と面一に終端する。カバー１２の端部にて、該カバーには、金属細片の形態の閉じ要素１５が装着され又は導入される。カバー１２に加え、担体５には、第２薬剤用ポケット領域１１の一部分を覆う閉じ蓋体１３が一体片で形成される。蓋体１３は、図３にも示された時期表示部６であって、この場合には曜日表示部である時期表示部６を備えた突出端部細片１７を備えて成る。各時期表示部６は、端部細片１７に隣接して各第２薬剤用ポケット領域１１の上記マーク縁部上に配置された夫々のマーク３であって、１つの薬剤用ポケット４から次の薬剤用ポケット４にかけて連続的なマーク付け部分２２内に配置される各マーク３と整列される。
【００６０】
各時期表示部６は、該時期表示部を示す細片を固着することにより適用されると共に、”Ｍｏ”、”Ｄｉ”、”Ｍｉ”、”Ｄｏ”、”Ｆｒ”、”Ｓａ”及び”Ｓｏ”とされた各曜日を備えて成る。この細片は、最初の曜日の表示部が最も左に現れる如き様式で調製される。頂部の薬剤用ポケット４上には、曜日表示部”Ｍｏ”に整列して最初のマーク３が整列される。更なるマークは示されない、と言うのも、それらは、上側の薬剤用ポケット４により覆い隠されるからである。
【００６１】
蓋体１３上には、磁性細片として設計された別の閉じ要素１５’が配置される。
【００６２】
図５は、図４に示されたウェハ用ポケット冊子体の別の斜視図を示している。図５において、図４からのウェハ用ポケット冊子体は閉じ状態で示される。蓋体１３は、カバー１２上に位置することから、本発明に係る冊子体を閉じている。カバー１２上及び蓋体１３上には、装飾及びロゴが適用される。
【００６３】
図６は、担体５及びカバー１２を備えた本発明の別実施形態の斜視図を示している。図６における本発明に係るウェハ用ポケット冊子体は、基本的に、図４における冊子体の概観に対応する。
【００６４】
図４におけるウェハ用ポケット冊子体と対照的に、此処では曜日であるこの実施形態の時期表示部６は、カバー１２の端部にて閉じ要素１５上に配置される。カバー１２は、第２薬剤用ポケット領域１１上でマーク３を示す表面の縁部までのみ延在すると共に、該カバーが閉じられたときには上記マークを露出したままとする。この様にして、頂部の薬剤用ポケット４のマーク３は、カバー１２が閉じられたときに視認可能なままである。
【００６５】
この実施形態において、閉じ要素１５’を備えた蓋体１３は、端部細片及び時期表示部なしで設計されると共に、担体５上に直接的に一体的に形成され、該蓋体１３は、図４に示された如くウェハ用ポケット冊子体を閉じている。
【００６６】
図７は、本発明の第２実施形態に係るウェハ用ポケット冊子体の種々の組立て段階における斜視図を示している。
【００６７】
図７ａは、本発明の別実施形態に従い、スリット１９が自身に形成された担体５を示している。該担体５に対しては、時期表示部６を備えた端部細片１７であって、蓋体１３が付随する端部細片１７が一体的に形成される。
【００６８】
図７ｂ−１はマーク３を有する薬剤用ポケット４、４’、４”を備えた積層体１を示しており、その場合に薬剤用ポケット４、４’、４”は図２に示された如く、スリット２０を備えたミシン目７を有している。
【００６９】
この実施形態においては、下側接続要素部分９ａ及び上側接続要素部分９ｂから成る別の接続要素９が示される。下側接続要素部分９ａはボックス形状であると共に、該要素部分は中央において、薬剤用ポケット４、４’、４”における開口８に係合するリブ９ｃを含んでいる。該リブ９ｃは、基部プレート９ｄ上に配置される。基部プレート９ｄは更に、該基部プレートの縁部に対し、３つの側辺にて且つ第４の側辺にては部分的に着座する壁部９ｅを支持する。上側接続要素部分９ｂはプレートとして設計されると共に、該要素部分は、下側接続要素部分９ａ上に緊密に装着されると共に、それに対し、例えば接着剤結合により、又は、超音波溶着により接続され得る。この実施形態において、上側接続要素部分９ｂは同時にカバー１２として設計されることから、後者の機能も肩代わりする。下端部にて接続要素９はタブ１８を有し、該接続要素により一体的に保持された積層体１は、該タブにより、別体的な担体５内へと挿入される。挿入は、例えば、図７ａにおいて担体５上に示されたスリット１９により可能とされる。この様にして、再使用可能な担体５は、組立てられた積層体１により多数回に亙り補充され得る。
【００７０】
この実施形態の特に好適な変更例において、接続要素９は（不図示の）リベットとして設計される。この目的のために、リブ９ｃは、長手方向に延在するスリット形状の凹所であって、該リブの頂面から該リブ内へと下方に延在する凹所を有する。この場合、プレート９ｂもまた、下方に突出する更なるリブであって、好適には該プレートと一体片で設計されると共に、下側リブ９ｃにおける上記凹所内に係合する機能を有するリブを備える。これにより、下側接続要素部分９ａに対する上側接続要素部分９ｂの接続が許容される。この接続はまた、例えば、プレート９ｂ上の付加的なリブ、及び、リブ９ｃにおける上記凹所内の壁部であって、各々が、上記リベットが閉じられたときに相互に掛止する鋸歯状表面を有するリブ及び壁部により、形状的嵌合接続としても提供され得る。更に、壁部９ｅの端面はスリットを備えることも可能であり、且つ、プレート９ｂの下側部は、例えば、上記壁部における上記スリットに係合する更なる長手リブであって、該スリット内に繋止される更なる長手リブを有し得る。
【００７１】
図７ｂ−２は、下側接続要素部分９ａ内へと装着された積層体１を示している。下側接続要素部分９ａのボックス形状の壁部９ｅは薬剤用ポケット領域１０の外側を完全に囲繞することから、薬剤用ポケット４、４’、４”に対する外側案内部の役割を果たす。
【００７２】
図７ｃは、担体５及び蓋体１３と組み合わされた本発明に係るウェハ用ポケット冊子体を示している。この目的のために、組立てられた積層体１は、タブ１８（図７ｂ−１）により、担体５のスリット１９（図７ａ）内へと挿入される。この実施形態は、各々の場合に新たな積層体１が使用されるだけで、担体５が一回を超えて使用され得る、という利点を有している。
【００７３】
図７ｄは最後に、この実施形態の閉じられたウェハ用ポケット冊子体を示し、その場合に蓋体１３上には印刷が行われている。この実施形態において蓋体１３は、冊子体の閉じ状態において、該蓋体が、薬剤用ポケット４、４’、４”の全面に亙りカバー１２の縁部まで延在すると共に、殆ど後者と面一に終端する如く設計される。
【００７４】
図７ｅは、上述の実施形態に対する代替策の役割を果たす変更実施形態を示している。この実施形態は、カバー１２は積層体１から後方に離間して案内されるという点、及び、蓋体１３上の時期表示部６は、例えば磁性細片などの閉じ要素を受容する役割を果たす閉じブロック１４の前方に配置されるという点において、図７ａ乃至図７ｄにおける実施形態と異なる。
【００７５】
図８は、図４からの実施形態の変更例を側面図で示しており、その場合に閉じ要素１５、１５’は面ファスナー式閉塞体として設計される。閉じ要素１５’はカバー１２の下側面上で該カバーの端部に配置され、且つ、（閉じ状態で見たときに）閉じ要素１５は蓋体１３の上側面上で該蓋体の端部に配置される。上記デバイスの閉じ状態において、閉じ要素１５及び１５’は、図８に示された如く相互に係合する。
【００７６】
図８からは、リベット９は、各薬剤用ポケットが該リベット上で垂直の遊びを有する如き長さであることが理解される。
【００７７】
図８ａには、磁石式閉塞体を備えたウェハ用ポケット冊子体が示される。蓋体１３の縁部上にて、好適にはその全幅に亙り金属細片１５が装着され、且つ、カバー１２の縁部領域上には、同様に好適にはその全幅に亙り磁性細片１５’が装着される。
【００７８】
図９は、図４からの実施形態の変更例の斜視図を、部分的に開かれた状態及び閉じ状態で示している。該デバイスは、接続要素部分９ａ及び９ｂ（図２）により形成されたコンパクトな接続要素９を有している。担体５上には、ゴムバンドとして設計された閉じ要素１５”が配備される。
【００７９】
図９における閉じられた実施形態の概観においては、ゴムバンド１５”は上記デバイスを囲繞することから、カバー１２を蓋体１３と共に閉じることが視認される。
【００８０】
図１０は、図９からの実施形態の変更例の斜視図を、開き状態及び閉じ状態で示している。該デバイスは、図９に示されたウェハ用ポケット冊子体とは異なる閉じ要素１５、１５’を有している。この実施形態において、カバー１２には閉じ要素１５が配備され、且つ、蓋体１３には閉じ要素１５’が配備される。閉じ要素１５はクリップとして設計され、且つ、閉じ要素１５’はスリット又は長楕円形孔として設計される。蓋体１３と共にカバー１２を閉じるために、クリップ１５はスリット１５’内へと押し込まれる。図１０における閉じられた実施形態に鑑みると、クリップ１５はスリット１５’に係合することから、カバー１２と共に蓋体１３を閉じることが視認される。
【００８１】
図１１は、本発明の別実施形態の側面図を、部分的に開かれた状態及び閉じ状態で示している。蓋体１３は、ボタン穴の様に設計された閉じ要素１５を有している。蓋体１３の材料は好適には、厚紙である。接続要素９はリベットとして設計され、これは同時に、閉じ要素１５’の役割を果たすことから、その機能を肩代わりする。
【００８２】
この場合、リベット９により蓋体１３を閉じるために、孔として設計された蓋体１３の接続要素１５は、軽い圧力でリベット９上へと押圧される。リベット９のヘッド端部は、孔１５を貫通して案内されることで、上記デバイスを閉じる。
【００８３】
図１２ａ、図１２ｂ、図１２ｃは、ウェハ用ポケット冊子体の別実施形態を種々の組立て段階で示している。
【００８４】
積層体１は、例えば２８個のポケットなどの多数の薬剤用ポケット４を備えて成り、その内の最上の薬剤用ポケットのみが視認可能である。薬剤用ポケット４は、封入されたウェハ２を収容する。薬剤用ポケット４の下縁部には、複数のマーク付け部分２２が配置される。該マーク付け部分２２の内の１つのマーク付け部分上には、マーク３が配置される。上側の視認可能な薬剤用ポケット４の下方に位置する（視認できない）第２の薬剤用ポケットにおいて、このマークは、最上の薬剤用ポケット上のマークが位置された上記第１のマーク付け部分の次に位置するマーク付け部分上に配置される。
【００８５】
薬剤用ポケット４は、上側領域の両側にて２０にてノッチ形成されると共に、ミシン目７を有している。これに加え、薬剤用ポケット４は、ウェハ用ポケット冊子体の組立て状態においてリブ９ｃが貫通係合する長楕円形孔８を有している。
【００８６】
図１２ａにおいて、下側接続要素部分９ａは担体５上に示される。図７からの実施形態におけるのと同様に、上記接続要素は二部材式であり、それは下側部分９ａ及び上側部分９ｂを有している。下側部分９ａは、リブ９ｃ、フレーム９ｅ、及び、基部プレート９ｄも備えて成る。リブ９ｃは、下方から長楕円形孔８に貫通係合する。フレーム９ｅは、基部プレート９ｄの縁部上に着座する。それは、３つの側辺上で、且つ、第４の側辺でも部分的に、基部プレート９ｄを境界決定する。このフレーム９ｅが存在しない箇所にて、薬剤用ポケット４は、ミシン目７を有する接続部分を通して延在し得る。その他の箇所で、このフレーム９ｅは薬剤用ポケット４の上側部分の回りに面一に係合することから、各薬剤用ポケットを、上記ウェハ用ポケット冊子体において遊びなしで各薬剤用ポケットが堅固に着座する如き様式で、案内する。上側接続要素部分９ｂは、下側接続要素部分９ａに対して形状的嵌合により又は材料結合により固着され得るプレートにより形成される。このプレート９ｂは、例えば材料結合（溶着、接着剤結合など）により、担体５に対して接続される。
【００８７】
下側接続要素部分９ａは、例えば接着剤結合により担体５上に固着される。薬剤用ポケット４の積層体１を製造するとき、担体５は好適には、下側接続要素部分９ａと共に利用可能とされる。次に、各薬剤用ポケット４が担体５上に載置され、その場合、担体５上に固着された下側部分９ａのリブ９ｃは、ポケット４の長楕円形孔８内へと摺動する。各薬剤用ポケット４は、このリブ９ｃにより且つフレーム９ｅにより、担体５上に保持される。これに加え、それらの位置はフレーム９ｅにより厳密に決定される。
【００８８】
ウェハ用ポケット冊子体の全ての薬剤用ポケット４が一体的に積層され且つ上記接続要素が閉じられた後、担体５には、曜日を示す細片６が配備される。各曜日を示す該細片６は、図１２ａ−１に示された位置、及び、図１２ａ−２に示された位置のいずれにも適用され得る。各曜日を示す細片６は、それが、薬剤用ポケット４上のマーク付け部分２２と面一である如く配置される。この様にして、ユーザは、上側の薬剤用ポケット４におけるウェハ２が、どの曜日にて服用されるべきかを見分けることができる。
【００８９】
担体５は次に上端部にて、該端部がウェハ用ポケット冊子体に対するカバー１２を形成する如き様式で、折り返される。カバー１２上には、製造者及び薬剤の名称に関する情報、又は、ロゴさえもが、配置され得る。カバー１２は、薬剤用ポケット４の表面全体に亙り、且つ、ウェハ用ポケット冊子体の下端部における担体５の突出縁部に亙り、延在する。
【００９０】
上記接続要素が折り返されて閉じられた後、上記ウェハ用ポケット冊子体は組立てられる。
【図１】
2012516725.tif 000003
【図２】
2012516725.tif 000004
【図３】
2012516725.tif 000005
【図４】
2012516725.tif 000006
【図５】
2012516725.tif 000007
【図６】
2012516725.tif 000008
【図７ａ】
2012516725.tif 000009
【図７ｂ−１】
2012516725.tif 000010
【図７ｂ−２】
2012516725.tif 000011
【図７ｃ】
2012516725.tif 000012
【図７ｄ】
2012516725.tif 000013
【図７ｅ】
2012516725.tif 000014
【図８】
2012516725.tif 000015
【図８ａ】
2012516725.tif 000016
【図９】
2012516725.tif 000017
【図１０】
2012516725.tif 000018
【図１１】
2012516725.tif 000019
【図１２ａ−１】
2012516725.tif 000020
【図１２ａ−２】
2012516725.tif 000021
【図１２ｂ】
2012516725.tif 000022
【図１２ｃ】
2012516725.tif 000023
【国際調査報告】
2012516725.tif 000024
2012516725.tif 000025
2012516725.tif 000026
2012516725.tif 000027
2012516725.tif 000028
2012516725.tif 000029